(57)【要約】【課題】クリアランスが４００mmから１０００mmと建物の大型化や高層化に対応出来るエキスパンション・ジョイントに於いて、自重の重くなる化粧カバーを地震等の一時変形に追従してスムーズに動かして揺れに追従出来るようにする。【解決手段】互いに対向する建物A,B間に設定したクリアランスCにアウターレールとインナーレールからなる伸縮自在のスライドレールを任意ピッチを持って複数本配置し、該スライドレールの一方に化粧カバーをビス等で支持、固着して、地震等の一時変形に追従する動きはスライドレールの摺動にて行う。【選択図】図１
2004204580.tif 000002
【特許請求の範囲】
【請求項１】
互いに対向する建物A、B間に設定したクリアランスCにアウターレールとインナーレールからなる伸縮自在のスライドレールを任意ピッチを持って複数本配置せしめ、
該スライドレールのアウターレール一端はそれぞれ建物A側の縁材に固定されたヒンジ機構のヒンジアームに固定され、
該スライドアームのインナーレール他端は建物Bの縁材または該縁材から延長して設けられた受け材の上部に常に係合する構成となし、
前記任意ピッチで配置されたスライドレールの片側アウターレール側にクリアランスCを覆う形状の化粧カバーをビス等で固着せしめ、
該化粧カバーが建物Bの縁部または該縁部から延長して設けられた受け材上で前記スライドレールを介して摺動すること、
を特徴とするエキスパンション・ジョイントに於ける化粧カバーの可動装置。
【請求項２】
前記スライドレールのアウターレール一端でヒンジ機構のヒンジアームに固定されているそれぞれのアウターレールをヒンジアームの平部に対して水平回動可能にピンカシメ等で固定することにより、建物A、B間のクリアランスCが水平方向である床−床等にも使用可能となること、
を特徴とする請求項１記載のエキスパンション・ジョイントに於ける化粧カバーの可動装置。
【請求項３】
前記スライドレールのインナーレール他端が建物Bの縁部または該縁部から延長して設けられた受け材上部に常に係合しているようにするため、インターレール端部をスプリング機構にて張着していること、
を特徴とする請求項１記載のエキスパンション・ジョイントに於ける化粧カバーの可動装置。
【発明の詳細な説明】
【０００１】
【発明の属する技術分野】
本発明は、建築用エキスパンション・ジョイントに於ける化粧カバーの可動装置に関するものである。
【０００２】
建築用エキスパンション・ジョイントは、建物にかかる外力等の変動要因から発生する応力の伝達を分断するために設けられた分割ラインのことであり、隣接して建てられた左右の建物同士の激突を防ぐために設けられたクリアランス（間隙）を建物の揺れ動きに追従可動する化粧カバーで塞ぎ、左右の建物を接続、一体化して使用出来るようにするジョイント部材のことである。
【従来の技術】
【０００３】
従来のエキスパンション・ジョイント部分に取付られる化粧カバー材は、地震等の一時変形や、不同沈下等の永久変形によるクリアランスの変化の想定が比較的小さいこともあり、化粧カバーを支持するために設けられた両端の化粧カバー支持材（化粧縁材）間に嵌合、装架されている構成のものが多い。この従来型の化粧カバーの両端は、前記化粧カバー支持材内に見込み伸張部分が重複して格納されており、且つ収縮にも対応出来るよう化粧カバー支持材内に逃げの隙間を有する構成を有しており、該化粧カバー支持材間で地震等によるクリアランスの変化に追従している。
【０００４】
而して、近年は建物の大型化や高層化により、建物間のクリアランス（間隙）が、従来５０mmから３００mm程度であったものが、４００mmから１０００mmと大きくなり、地震等の一時変形や不同沈下等の永久変形に追従出来るエキスパンション・ジョイントが多く用いられる様になってきた。
【０００５】
クリアランスの大きいエキスパンション・ジョイントは、該クリアランスをステンレス、アルミ等の金属加工にて作られる化粧カバー材で覆うため、当然のことながら化粧カバー材の自重が重くなり、該大重量の化粧カバー材をしっかりと持設する安全構成と、地震等の一時変形に対して、化粧カバーをスムーズに動かして揺れに追従出来、化粧カバーや建物に損傷を与えない可動機構が要望されきた。
【発明が解決しようとする課題】
【０００６】
本発明は、クリアランスが、４００mmから１０００mmと建物の大型化や高層化に対応できるエキスパンション・ジョイントに於いて、自重の重くなる化粧カバーを地震等の一時変形に追従してスムーズに動かして揺れに追従出来、且つ前記重量物の化粧カバー材を堅牢に持設して、機能的で安全性の高いエキスパンション・ジョイントに於ける化粧カバーの可動装置を供することを目的とする。
【０００７】
【課題を解決する手段】
上記の目的を達成するために、本発明は、互いに対向する建物A,B間に設定したクリアランスCに、アウターレールとインナーレールからなる伸縮自在のスライドレールを任意ピッチを持って複数本装架して配置せしめ、該スライドレールのアウターレール一端は例えば建物A側の縁材に固定されたヒンジ機構のヒンジアームに固着され、該スライドレールの他端は建物Bの縁部または該縁部から延長して設けられた受け材の上部に常に係合する構成となし、該複数本任意ピッチで配置されたスライドレールの片側に前記クリアランスCを覆う形状の化粧カバーをビス等にてそれぞれ固着せしめ、該化粧カバーは建物Bの縁部または該縁部から延長して設けられた受け材上で前記スライドレールを介してスムーズに摺動し地震等による急激な一時変形に追従出来る様に構成した。
【０００８】
また、本発明のエキスパンション・ジョイントに於ける化粧カバーの可動装置は、エキスパンション・ジョイントとして、内壁−内壁、内壁コーナー、外壁−外壁、外壁コーナー、床−床、床コーナー等幅広く実施可能で、幅広で重量のある化粧カバーをクリアランスC間に装架される複数本のスライドレールにビス等でそれぞれ固着、取り付けされることから、堅牢で離脱することのない安全な化粧カバー可動装置を提供することが出来た。
【０００９】
【発明の実施の形態】
以下本発明の一実施例を図１乃至図４に基づき詳説する。図１乃至図４は本発明をエキスパンション・ジョイントに実施した例を示すもので、図１は斜視要部断面図、図２は平断面図、図３及び図４は平断面図にて、クリアランスの変動に対してどの様に作動するかを説明する示す作動説明図である。
【００１０】
図１乃至図４に於いて、建物の内壁A、Bには、縁材１、２が対向して設けられており、該縁材１には図に於いて上下動可能なヒンジ機構３を介して任意ピッチでスライドレール４a、４ｂ、４ｃ・・・（図示されているのは４aのみ）が設けられている。
【００１１】
該スライドレール４a等は、一端をヒンジ機構３のヒンジアーム５に固定されたアウターレール６とインナーレール７により構成されており、該インナーレール７はアウターレール６と繋合して伸縮自在にスライド可能であり、該スライド機能により伸縮してアウターレール６の先端を前記建物の内壁B側に設けられた縁材２、及び該縁材２下部に設けられた受け材８に係合している。
【００１２】
９は前記スライドレール４a等を常に縁材２、または受け材８に押圧しているためのコイルスプリングであり、該コイルスプリング９はインナーレール７下部にも受けられたスプリング係止金具１０とスプリング保持アーム１１間に係着されている。
【００１３】
従って、建物の内壁A、B間のクリアランスCには、任意ピッチでスライドレール４a、４ｂ、４ｃ・・・が装架されており、化粧カバー１２はパネルの骨材形状に任意ピッチで設置された前記スライドレール４a、４ｂ、４ｃ、・・・のアウターレール６a、６ｂ、６ｃ・・・側にそれぞれビス１３a、１３ｂにて固着されている。
【００１４】
尚、図１及び図２に於いて、１４は受け材８に切欠して設けられたスプリング係止金具１０の摺動溝、１５は壁仕上げ材、１６は耐火材、１７a、１７ｂはヒンジ機構３の取付用アンカーボルト、１８はスプリング保持アーム１１の取付用アンカーボルトを示している。
【００１５】
而して、図１はスライドレール４aの一端部にて、ヒンジ機構３のヒンジアーム５に固定されるアウターレール６を前記ヒンジアーム５の平部に対して水平回動可能にピンカシメ１９にて固定することにより、スライドレール４aはピンカシメ１９を中心にR−Rと回動出来、建物A、B間のクリアランスCが水平方向である床−床等にも使用できるエキスパンション・ジョイントに於ける化粧カバーの可動装置も提供できる。
【００１６】
図２は建物A、B間のクリアランスCを設定しエキスパンション・ジョイントを設置した通常状態の断面形状を示しているが、図３は地震等の一時変形によりクリアランスCが極端に狭まってしまった場合の化粧カバー１２の動作を示しており、図４はクリアランスCが極端に広がってしまった場合の化粧カバー１２の動作を示している。。
【００１７】
図３に於いては、スライドレール４aのアウターレール６とインナーレール７は収縮し、ヒンジ機構３が回動して化粧カバー１２とスライドレール４aは建物B側の縁材２を乗り越え、変形したクリアランスC’の外に回避するため、前記化粧カバー１２は損傷することがない。
【００１８】
図４に於いては、スライドレール４aのアウターレール６とインナーレール７は伸長して、化粧カバー１２端部と建物B側の縁材２間は離れているが、任意ピッチにて建物A,B間に装架されているスライドレール４a等は化粧カバー１２を変形したクリアランスC”内に介在さており、前記化粧カバー１２端部と縁材２間の隙間は、通し部材からなるの受け材８が目隠しとなり、化粧カバー１２内部は見通せない。
【００１９】
而して、図３及び図４に示すクリアランスCの変形による化粧カバー１２動きは、該化粧カバー１２が支持、固定されているスライドレール４a、４ｂ、４ｃ・・・等とヒンジ機構３によって行われるために、スムーズになされる。
【００２０】
【発明の効果】
斯くして本発明においては、互いに対向する建物A、B間に設定したクリアランスCにアウターレール６とインナーレール７からなる伸縮自在のスライドレール４a、４ｂ、４ｃ・・・を任意ピッチを持って複数本配置せしめ、該スライドレール４のアウターレール６一端はそれぞれ建物A側の縁材１に固定されたヒンジ機構３のヒンジアーム５に固定され、該スライドアーム４a等のインナーレール７他端は建物Bの縁材２または該縁材から延長して設けられた受け材８の上部に常に係合する構成となし、前記任意ピッチで配置されたスライドレール４a等のの片側アウターレール６側にクリアランスCを覆う形状の化粧カバー１２をビス１３a、１３ｂで固着せしめ、該化粧カバー１２が建物Bの縁材２または該縁材から延長して設けられた受け材８上で前記スライドレール４a等を介して摺動することした。
【００２１】
従って、本発明は、クリアランスCが４００mmから１０００mmと建物の大型化や高層化に対応出来るエキスパンション・ジョイントに於いて、自重の重くなる化粧カバーを地震等の一時変形に追従してスムーズに動かして揺れに追従出来、且つ前記重量物の化粧カバーを堅牢に支持、固定して機能的で安全性の高いエキスパンション・ジョイントに於ける化粧カバーの可動装置を提供することが出来た。
【図面の簡単な説明】
【図１】本発明の一実施例を示す斜視要部断面図である。
【図２】本発明の一実施例を示す平断面図である。
【図３】クリアランスの変動に対してどの様に作動するかを説明する作動説明図である。
【図４】図３と同様の作動説明図である。
【符号の説明】
１  縁材
２  縁材
３  ヒンジ機構
４a、４ｂ、４ｃ・・・  スライドレール
５  ヒンジアーム
６  アウターレール
７  インナーレール
８  受け材
９  コイルスプリング
１０  スプリング係止金具
１１  スプリング保持アーム
１２  化粧カバー
１３a、１３ｂ  ビス
１４  摺動溝
１５  壁仕上材
１６  耐火材
１７a、１７ｂ  ヒンジ機構取付用アンカーボルト
１８  保持アーム取付用アンカーボルト
１９  ピンカシメ
【図１】
2004204580.tif 000003
【図２】
2004204580.tif 000004
【図３】
2004204580.tif 000005
【図４】
2004204580.tif 000006